(57)【特許請求の範囲】
【請求項１】
対向状態に並設したスライドガイド部と、この対向するスライドガイド部間にスライド自在に架設した複数のスライド体とからなり、前記スライド体は、両端部に夫々、このスライド体の長さの１／２以下の長さに設定した収納袋の開口縁部を係止する袋係止部を外方に向って起伏回動自在に設けた構成とし、隣り合う二体の前記スライド体の夫々の上面に前記収納袋の対向する開口縁部を夫々配し、各前記袋係止部を伏動回動させて上方から前記スライド体に係止し、前記開口縁部を挟持係止して、この隣り合う二体のスライド体間に前記収納袋を開口状態に付設し得るように構成し、この隣り合う二体のスライド体の一方または双方をスライドさせて前記収納袋の開口部を開閉自在及び開口状態での開口幅を調整し得る構成とすると共に、前記スライド体に、このスライド体のスライドをロックするスライドロック機構を設けて、前記収納袋の開口状態での開口幅を一定に保持し得るように構成したことを特徴とする収納袋付設体。
【請求項２】
前記スライドガイド部は、前記収納袋を収納する基体部に対向状態に並設した構成とし、この対向するスライドガイド部間に複数の前記スライド体をスライド自在に架設し、この複数のスライド体の隣り合うスライド体同士を一組とする袋付設部を複数設けた構成とし、この複数の袋付設部に前記収納袋を着脱自在に付設し得るように構成したことを特徴とする請求項１記載の収納袋付設体。
【請求項３】
スーパーマーケットやコンビニエンスストアなどの販売店が提供するレジ袋を前記収納袋とし、前記スライド体に前記収納袋の持ち手部以外の対向する前記開口縁部を夫々袋係止部で係止して、前記収納袋を前記スライド体間に架設状態に支持して付設する構成としたことを特徴とする請求項１，２のいずれか１項に記載の収納袋付設体。
【請求項４】
前記収納袋は、この収納袋の持ち手部以外の対向する開口縁部を前記スライド体に前記袋係止部により係止して、このスライド体間に吊下げ状態で支持され付設するように構成したことを特徴とする請求項１〜３のいずれか１項に記載の収納袋付設体。
【請求項５】
前記スライド体は、板面方向を上下方向とした帯板状とし、前記収納袋の開口縁部を夫々前記スライド体に被嵌する前記袋係止部でこのスライド体に挟持係止するように構成したことを特徴とする請求項１〜４のいずれか１項に記載の収納袋付設体。
【請求項６】
前記スライド体の上面と前記袋係止部に形成した前記スライド体に被嵌する凹部の底面部との一方に凹条溝部を設け他方にこの凹条溝部と嵌合する凸条部を設け、前記スライド体に前記袋係止部の凹部を被嵌した際に、前記凹条溝部と前記凸条部との間で前記収納袋の開口縁部を挟持係止する滑り落ち防止機構を設けたことを特徴とする請求項１〜５のいずれか１項に記載の収納袋付設体。
【請求項７】
前記スライド体は、前記スライドガイド部に着脱自在に設けたことを特徴とする請求項１〜６のいずれか１項に記載の収納袋付設体。
【請求項８】
前記スライド体は、両端部に前記スライドガイド部と係合するスライドガイド係合部を備え、このスライドガイド係合部は、径の異なる二種類の挿通孔を上下二段に連通状態に設けた構成とし、上下いずれか一方の挿通孔はスライドガイド部の径よりもやや小径に形成し、他方の挿通孔はスライドガイド部の径よりも大径に形成して、前記スライド体を上下方向に押引動操作することで、前記スライドガイド部が前記一方の挿通孔に圧入して、この一方の挿通孔がスライドガイド部に押圧係止することで前記スライドガイド部に対してスライド不能なスライドロック状態となり、このスライドロック状態から前記スライド体を前記スライドガイド部が前記他方の挿通孔に移動するように上下方向に押引動操作することで、前記スライドロック状態が解除され前記スライド体がスライド自在な状態となるように構成して、前記スライド体の上下方向への押引動操作によって前記スライド体をスライドロックまたはスライドロック解除する構成としたことを特徴とする請求項１〜７のいずれか１項に記載の収納袋付設体。
【請求項９】
前記基体部にキャスターを設けて走行移動自在に構成したことを特徴とする請求項２〜８のいずれか１項に記載の収納袋付設体。
【発明の詳細な説明】
【技術分野】
【０００１】
本発明は、収納物を入れ易い状態で収納袋を付設することができる収納袋付設体に関するものである。
【背景技術】
【０００２】
従来、スーパーマーケットやコンビニエンスストアなどで買い物をした際に買った品物をレジ袋に入れてもらうが、このレジ袋は、例えば一般ゴミや資源ゴミを入れる収納袋として利用することが多い。
【０００３】
このレジ袋を収納袋として利用する際、例えば、特許文献１（以下、従来例と称す。）に示されるような分別リサイクルホルダーを用いて、対向するフレームに持ち手部を引っ掛けて収納袋の開口部を広げた状態で吊下げておき、この中に、例えば一般ゴミや資源ごみを入れてゴミの回収日まで保管していた。
【０００４】
また、従来例のように、収納袋の持ち手部を引っ掛けて収納袋を吊下げ状態に付設するための凸部を対向するフレームに複数並設することで、このフレーム間に複数の収納袋を吊下げ状態で並設することができるので、例えば、資源ゴミを種類毎に分別して収納する資源ゴミ分別回収体として利用していた。
【先行技術文献】
【特許文献】
【０００５】
【特許文献１】特開２００６−１６８９８５号公報
【発明の概要】
【発明が解決しようとする課題】
【０００６】
しかしながら、従来例では、レジ袋のような収納袋を、持ち手部を引っ掛けて吊下げ状態に付設すると、収納袋の中に収納物を入れるに連れ、収納物の重みで収納袋の下方が引っ張られ、収納袋の開口部が徐々に狭められてゆき、収納物が入れ難くなったり、また、開口部が狭められたことで、このレジ袋の開口縁部に対向状態に設けられているひらひらした結び部同士が接近して開口部を遮るようになり、より一層収納物が入れ難くなると共に、例えば、洗い残しのある資源ゴミなど汚れがある収納物を入れる場合は、開口部の開口縁部や結び部に収納物の汚れが付着してしまうことがあり、収納袋を持ち運ぶ際や開口部を結び部で結ぶ際に、この付着した汚れによって手が汚れてしまうという不具合が生ずることがあり、そのため、従来例では、収納袋をフレームに架設状態に吊下げる際、予め持ち手部を引っ掛ける凸部を２，３箇所まとめて持ち手部を引っ掛けて収納袋の開口部の開口幅を広くした状態で吊下げ付設していた。
【０００７】
そのため、一つの収納袋で多くのスペースを占有するため、あまり多くの収納袋を並設することができなかった。
【０００８】
また、常に収納袋の開口部が開口状態であるため、洗い残しのある資源ゴミなどの嫌な臭いを発生させるものを収納した際に、その臭いを隠蔽することができず、周囲に嫌な臭いが漂い不快感を覚えることもあった。
【０００９】
そこで、本発明は、従来の問題点を解決し、収納物を収納袋の中に常に入れ易い状態で収納袋を付設することができ、また、収納袋の収納状態によって収納袋が占有する領域、即ち開口幅を調整することで収納袋を付設するスペースを無駄無く利用することができ、更に、必要に応じて収納袋の開口部を閉口状態にすることもできる実用的な収納袋付設体を提供することを目的とする。
【課題を解決するための手段】
【００１０】
添付図面を参照して本発明の要旨を説明する。
【００１１】
対向状態に並設したスライドガイド部１と、この対向するスライドガイド部１間にスライド自在に架設した複数のスライド体２とからなり、前記スライド体２は、両端部に夫々、このスライド体２の長さの１／２以下の長さに設定した収納袋３の開口縁部を係止する袋係止部４を外方に向って起伏回動自在に設けた構成とし、隣り合う二体の前記スライド体２の夫々の上面に前記収納袋３の対向する開口縁部を夫々配し、各前記袋係止部を伏動回動させて上方から前記スライド体に係止し、前記開口縁部を挟持係止して、この隣り合う二対のスライド体２間に前記収納袋３を開口状態に付設し得るように構成し、この隣り合う二体のスライド体２の一方または双方をスライドさせて前記収納袋３の開口部を開閉自在及び開口状態での開口幅を調整し得る構成とすると共に、前記スライド体２に、このスライド体２のスライドをロックするスライドロック機構を設けて、前記収納袋３の開口状態での開口幅を一定に保持し得るように構成したことを特徴とする収納袋付設体に係るものである。
【００１２】
また、前記スライドガイド部１は、前記収納袋３を収納する基体部５に対向状態に並設した構成とし、この対向するスライドガイド部１間に複数の前記スライド体２をスライド自在に架設し、この複数のスライド体２の隣り合うスライド体２同士を一組とする袋付設部６を複数設けた構成とし、この複数の袋付設部６に前記収納袋３を着脱自在に付設し得るように構成したことを特徴とする請求項１記載の収納袋付設体に係るものである。
【００１３】
また、スーパーマーケットやコンビニエンスストアなどの販売店が提供するレジ袋を前記収納袋３とし、前記スライド体２に前記収納袋３の持ち手部７以外の対向する前記開口縁部を夫々袋係止部４で係止して、前記収納袋３を前記スライド体２間に架設状態に支持して付設する構成としたことを特徴とする請求項１，２のいずれか１項に記載の収納袋付設体に係るものである。
【００１４】
また、前記収納袋３は、この収納袋３の持ち手部７以外の対向する開口縁部を前記スライド体２に前記袋係止部４により係止して、このスライド体２間に吊下げ状態で支持され付設するように構成したことを特徴とする請求項１〜３のいずれか１項に記載の収納袋付設体に係るものである。
【００１５】
また、前記スライド体２は、板面方向を上下方向とした帯板状とし、前記収納袋３の開口縁部を夫々前記スライド体２に被嵌する前記袋係止部４でこのスライド体２に挟持係止するように構成したことを特徴とする請求項１〜４のいずれか１項に記載の収納袋付設体に係るものである。
【００１６】
また、前記スライド体２の上面と前記袋係止部４に形成した前記スライド体２に被嵌する凹部８の底面部との一方に凹条溝部９を設け他方にこの凹条溝部９と嵌合する凸条部10を設け、前記スライド体２に前記袋係止部４の凹部８を被嵌した際に、前記凹条溝部９と前記凸条部10との間で前記収納袋３の開口縁部を挟持係止する滑り落ち防止機構を設けたことを特徴とする請求項１〜５のいずれか１項に記載の収納袋付設体に係るものである。
【００１７】
また、前記スライド体２は、前記スライドガイド部１に着脱自在に設けたことを特徴とする請求項１〜６のいずれか１項に記載の収納袋付設体に係るものである。
【００１８】
また、前記スライド体２は、両端部に前記スライドガイド部１と係合するスライドガイド係合部２ｂを備え、このスライドガイド係合部２ｂは、径の異なる二種類の挿通孔14を上下二段に連通状態に設けた構成とし、上下いずれか一方の挿通孔14はスライドガイド部１の径よりもやや小径に形成し、他方の挿通孔14はスライドガイド部１の径よりも大径に形成して、前記スライド体２を上下方向に押引動操作することで、前記スライドガイド部１が前記一方の挿通孔14に圧入して、この一方の挿通孔14がスライドガイド部１に押圧係止することで前記スライドガイド部１に対してスライド不能なスライドロック状態となり、このスライドロック状態から前記スライド体２を前記スライドガイド部１が前記他方の挿通孔14に移動するように上下方向に押引動操作することで、前記スライドロック状態が解除され前記スライド体２がスライド自在な状態となるように構成して、前記スライド体２の上下方向への押引動操作によって前記スライド体２をスライドロックまたはスライドロック解除する構成としたことを特徴とする請求項１〜７のいずれか１項に記載の収納袋付設体に係るものである。
【００１９】
また、前記基体部５にキャスター13を設けて走行移動自在に構成したことを特徴とする請求項２〜８のいずれか１項に記載の収納袋付設体に係るものである。
【発明の効果】
【００２０】
本発明は上述のように構成したから、収納袋の開口部を、常にこの収納袋の中に入れる収納物を入れ易い開口幅の開口状態で付設することができるので、収納袋の中に収納物が入れ易くなり、利便性の高い収納袋付設体となる。
【００２１】
例えば、本発明を一般ゴミや資源ゴミを分別回収する収納袋付設体として利用する場合、汚れが付着している収納物を入れる際にも収納袋の開口縁部に汚れが付着せず、嫌な臭いが生じたり、収納袋を取り扱う際にも手を汚すことがなくなる。
【００２２】
また、収納袋内の収納物の収納量が少ない状態では、開口部の開口幅を狭めに調整して収納袋が占有する領域を狭めることで、他の収納袋をより多く付設するスペースを設けることができる。
【００２３】
また、収納袋の中に収納物を入れてゆき、収納袋内の収納物の収納量が多くなり収納袋自体が大きくなってきたら、この収納袋の大きさに適した開口幅に調整することで常に収納袋の中に収納物を入れ易い状態にしておくことができ、また、収納袋の開口部を広げることで収納袋自体の大きさも広がるのでより多くの収納物を収納することができる。
【００２４】
また、スライドガイド部に複数架設したスライド体の全てのスライド体に収納袋を付設せず、不使用のスライド体がある場合は、この不使用のスライド体をスライドガイド部の端に寄せることで広いスペースを設けることができるので、空きスペースを有効利用することができる実用性に優れた収納袋付設体となる。
【００２５】
また、例えば、洗い残しのある資源ゴミなどの嫌な臭いを発生させるものを収納した際にも、スライド体を互いに接近させる方向にスライドさせてスライド体同士を当接状態にすることで収納袋の開口部を閉口状態にすることができるので、収納袋内で発生する嫌な臭いの外部への漏れを可及的に低減することができ不快感を感じることもなくなる。
【００２６】
また、請求項２記載の発明においては、複数の袋付設部に複数の収納袋を付設して資源ゴミの分別用収納袋群として構成することができ、例えば資源ゴミを分別して回収する資源ゴミ分別回収体として構成することができる実用的な収納袋付設体となる。
【００２７】
また、請求項３記載の発明においては、レジ袋を有効利用でき、また更に、このレジ袋の持ち手部でない対向する開口縁部、例えば、持ち手部と直交する位置に設けられているひらひらした結び部側の開口縁部をスライド体に係止することで、このひらひらした結び部が開口部に張り出さず、開口部を遮ったり邪魔にならないので、収納物が入れ易くなると共に、汚れている収納物を入れる際は、この結び部に汚れが付着せず、清潔な状態を保つことができる実用性に優れた収納袋付設体となる。
【００２８】
また、請求項４記載の発明においては、収納袋を吊下げ状態で支持するので、基体部に底面を設ける必要がなく、製造コストを抑えることができ、また、収納袋自体を最大限広げて使用することができるので、多くの収納物を収納することができる。
【００２９】
また、請求項５記載の発明においては、スライド体を帯板状の厚みの薄い形状としたので、スライドガイド部に架設する際、場所を取らず複数架設することができ、しかも、不使用時に端に寄せることで邪魔にならず、また更に、収納袋の開口部を閉口状態にするためスライド体同士を当接させた際、開口縁部同士の接触面積が多くなり、より密閉度が高くなり、例えば、嫌な臭いを発生させる収納袋を収納した際には、この収納袋内で発生する嫌な臭いを外部に漏らし難くすることができる。
【００３０】
また更に、帯板状のスライド体の上面に収納袋の開口縁部を配した状態で袋係止部を上方から被嵌することで、収納袋の開口縁部を折れ曲がり状態で強固に挟持係止することとなり、スライド体に収納袋を吊下げ状態に付設し、この収納袋に入れた収納物の重量が重くなり収納袋が下方に引っ張られる状態になっても、収納袋の開口縁部がスライド体から外れ難く収納袋が落下してしまうという不具合を可及的に低減することができる実用的な収納袋付設体となる。
【００３１】
また、請求項６記載の発明においては、収納袋をスライド体に吊下げ状態に付設した際、この収納袋に入れた収納物の収納量が多くなり重くなって収納袋が下方に引っ張られる状態となっても、収納袋の開口縁部がより一層強固に挟持係止されることとなり、収納袋の開口縁部がスライド体からより一層外れ難くなる実用性に優れた収納袋付設体となる。
【００３２】
また、請求項７記載の発明においては、多数の収納袋を付設したい場合でスライドガイド部に架設しているスライド体が足りなくなっても容易に追加付設でき、また、付設する収納袋が少なく不使用のスライド体が多く存在しスライド体が邪魔な場合は、取り外して別の場所に保管しておくことができる利便性の高い収納袋付設体となる。
【００３３】
また、請求項８記載の発明においては、スライド体を押引操作するだけの極めて容易な操作でこのスライド体のスライドをロックしたり解除したりすることができ、収納袋内の収納物の重量が重くなって収納袋が下方に引っ張られることによって収納袋の開口部が閉口方向に引っ張られるが、スライド体のスライドをロックすることでスライド体がスライドせず、よって開口部は常に収納物が入れ易い開口幅を保持することができる実用性に優れた収納袋付設体となる。
【図面の簡単な説明】
【００３４】
【図１】本実施例の使用状態を示す斜視図である。
【図２】本実施例のスライド体をスライドガイド部にスライド自在に架設した状態を示す説明図である。
【図３】本実施例の袋係止部を示す説明図斜視図である。
【図４】本実施例の袋係止部に収納袋を付設する状態を示す斜視図である。
【図５】本実施例のスライド体に袋係止部を被嵌した状態を示す説明断面図である。
【図６】本実施例のスライドロック機構のロック状態を示す説明図である。
【図７】本実施例のスライドロック機構のロック解除状態を示す説明図である。
【図８】本実施例のスライド体のスライドガイド係合部を示す説明斜視図である。
【発明を実施するための形態】
【００３５】
好適と考える本発明の実施形態を、図面に基づいて本発明の作用を示して簡単に説明する。
【００３６】
スライド体２に収納袋３を付設する際、スライドガイド部１に複数架設したスライド体２の隣り合う二体のスライド体２間に収納袋３を架設状態に付設するので、隣り合う二体のスライド体２の間隔を、収納袋３の対向する開口縁部をスライド体２に係止し手架設状態に付設し得る適度な間隔にスライド体２をスライドさせて調整する。
【００３７】
この適度な間隔に調整したスライド体２の夫々に設けられている袋係止部４で収納袋３の対向する開口縁部を夫々のスライド体２に係止し、この適度な間隔を設けた二体のスライド体２間に収納袋３を架設状態に付設することで、この収納袋３の開口部を開口状態で付設することとなる。
【００３８】
また、このスライド体２間に架設して開口部を開口した状態で付設した収納袋３の開口部の開口幅を、スライド体２の一方若しくは双方をスライドさせることで容易に調整することができるので、収納袋３の中に収納物を入れ易い所望の開口幅に容易に調整することができ、また、例えば収納袋３内の収納物の収納量が少ないときは、開口部の開口幅を狭めに調整して他の収納袋３を並べて付設するスペースを設けることができ、収納袋３の中に収納物を入れてゆき、収納袋３内の収納物の収納量が多くなり収納袋３自体が大きくなってきたら、この収納袋３の大きさに適した開口幅に調整することも容易にできる。
【００３９】
即ち、スライド体２に架設状態に付設する収納袋３は、大きさや形状が多種多様にあり、スライドガイド部１に架設したスライド体２がスライド移動せず予め設定された間隔でしか収納袋３を架設できない場合では、収納袋３が小さく開口部の開口幅がスライド体２の間隔よりも狭い場合は、スライド体２間に収納袋３を架設状態に付設することはできず、また、収納袋３が大きく開口部の開口幅も広い場合、スライド体２の間隔が狭いと収納袋３の開口縁部にしわ寄せが生じ、スライド体２の間隔よりも開口幅が狭くなってしまい、収納物が入れ難くなったり、収納袋３の開口縁部に汚れが付着し易くなったりして使い勝手が悪くなってしまうが、本発明は、このような不具合が生じず、常に収納袋３の開口部を所望の開口幅に調整して、収納袋３の中に収納物を入れ易い状態としておくことができる実用性に優れた収納袋付設体となる。
【００４０】
また、収納袋３を多く付設せず不使用状態のスライド体２が生じた場合は、この不使用状態のスライド体２をスライドガイド部１の端に寄せることで邪魔にならず、広いスペースを作ることで、例えば、この収納袋３では収納し得ることができない収納物を収納するための他の収納体を設置することもできる。
【００４１】
また、収納袋３に入れた収納物が、例えば洗い残しのある資源ゴミなどの嫌な臭いを発生させるものを収納した際にも、スライド体２を互いに接近させる方向にスライドさせてスライド体２同士を当接状態にすることで収納袋３の開口部を閉口状態にすることができるので、収納袋３内の収納物から発生する嫌な臭いを外部に漏れ難くすることができる実用性に優れた画期的な収納袋付設体となる。
【実施例】
【００４２】
本発明の具体的な実施例について図面に基づいて説明する。
【００４３】
本実施例は、基体部５にスライドガイド部１を対向状態に並設し、この対向するスライドガイド部１間に複数のスライド体２をスライド自在に架設し、このスライド体２に収納袋３の開口縁部を係止する袋係止部４を設けて、隣り合う二体の前記スライド体２の夫々の袋係止部４に収納袋３の対向する開口縁部を係止してこのスライド体２間に収納袋３を開口状態に付設し得るように構成すると共に、この隣り合う二体のスライド体２の一方または双方をスライドさせて収納袋３の開口部の開口幅を調整自在に構成した収納袋付設体である。
【００４４】
また、本実施例は、上述した収納袋付設体に移動手段を設けて、ワゴン型の収納袋付設体に構成したものである。
【００４５】
本実施例について具体的に説明すると、基体部５は、金属製の棒状体をコ字型に折曲し、このコ字型棒状体の下方側となる開口部側に横杆を架設して方形状の側方フレーム部11を形成し、この側方フレーム部11を所定の間隔で対向状態に配し、この対向する側方フレーム部11間に帯状底板部12を複数架設し、この帯状底板部12に移動手段としてキャスター13を付設して、この基体部５を移動自在に設けた構成としている。
【００４６】
また更に、この基体部５の正面側、背面側、左右側面及び底面の夫々にこの基体部の剛性を高めるための補強杆部が対向状態に設けた側方フレーム部11間に架設した構成としている。
【００４７】
尚、本実施例では、移動手段のキャスター13を帯状底板部12に付設した構成としているが、側方フレーム部11の縦杆の底部に設けた構成としても良い。また、このキャスター13を着脱自在に設けた構成とし、基体部５からキャスター13を外してワゴン型でなく、据え置き型の収納袋付設体に構成しても良い。
【００４８】
また、スライドガイド部１は金属製の断面円形の円棒状体であり、これを上述のように構成した収納袋３を収納する基体部５に対向状態に並設した構成とし、具体的には、基体部５の正面側上部と背面側上部に水平対向状態で左右の側方フレーム部11間に架設した構成としている。
【００４９】
尚、スライドガイド部１の形状は上述した断面円形状に限らず、角型形状や楕円形状などでも良く、本実施例の特性を発揮するものであれば適宜採用し得るものである。
【００５０】
また、このスライドガイド部１間に複数架設するスライド体２は、このスライドガイド部１にスライド自在に架設した構成とし、このスライド体２をスライドガイド部１に複数架設し、隣り合う二体のスライド体２同士を一組として袋付設部６を構成し、この袋付設部６に収納袋３を着脱自在に付設し得る構成としている。
【００５１】
本実施例では、この袋付設部６を複数設けた構成とし、例えば、この複数の袋付設部６に収納袋３を夫々付設して分別収納袋群を構成し、本実施例の収納袋付設体を、資源ゴミを種類毎に分別回収する資源ゴミ分別回収体として構成しても良い。
【００５２】
この袋付設部６を構成するスライド体２は、本体部２ａとスライドガイド係合部２ｂとからなり、具体的には、本体部２ａを、板面方向を上下方向とした金属製の帯板状に形成し、この本体部２ａの両端部にスライドガイド部１に係合するスライドガイド係合部２ｂを設けた構成としている。
【００５３】
また、このスライド体２の本体部２ａの上面には、本体部２ａの基端部から先端部に掛けて凹条溝部９を設けた構成とし、この凹条溝部９は、具体的にはＶ字形状に形成している。尚、この凹条溝部９は、上述したＶ字形状に限った構成とするものではなく、例えば、Ｗ字形状やＵ字形状などでも良く、本実施例の特性が発揮できる形状であれば適宜採用するものとする。
【００５４】
また、本体部２ａの端部に設けられるスライドガイド係合部２ｂは、スライドガイド部１と係合してスライド体２をスライドガイド部１にスライド自在に設けることができるスライド機構以外に、このスライド自在に設けたスライド体２のスライドをロックするスライドロック機構の二つの機能を設けた構成としている。
【００５５】
具体的には、スライドガイド係合部２ｂの側面部にスライドガイド部１に挿通する挿通孔14を設け、この挿通孔14は径の異なる二種類の孔を上下二段に連通状態に設けた構成とし、上段側の上段側挿通孔14ａはスライドガイド部１の径よりもやや小径となる孔に形成し、下段側の下段側挿通孔14ｂはスライドガイド部１の径よりも大きい径となる孔に形成している。
【００５６】
更にこの上段側挿通孔14ａと下段側挿通孔14ｂの境界部を内側に稍突出した形状とし、この挿通孔14を正面視略雪ダルマ型に形成し、スライドガイド部１を上段側挿通孔14ａに圧入することでスライド体２をスライドロック状態にし、スライドガイド部１を下段側挿通孔14ｂに移動させることでスライドガイド部１と下段側挿通孔14ｂとの間に隙間ができスライド体２はスライドガイド部１に対してスライド自在となる構成としている。
【００５７】
即ち、本実施例のスライドロック機構は、スライド体２を下方に押し込むことで、スライドガイド部１がスライドガイド係合部２ｂに設けた挿通孔14の上段側挿通孔14ａに圧入され、この上段側挿通孔14ａはスライドガイド部１の径よりも小径であるため、この上段側挿通孔14ａがスライドガイド部１を押圧係止することでスライド体２をスライドガイド部１に対してスライド不能な状態にし、このスライド不能状態、即ちスライドロック状態を解除するには、スライド体２を上方に引き上げることで、スライドガイド部１が下段側挿通孔14ｂに移動し、スライドロックが解除されスライド自在な状態となるように構成している。
【００５８】
また、このスライドガイド係合部２ｂは、底面部２ｃを着脱自在に設けた構成としており、このスライドガイド係合部２ｂの底面部２ｃを取り外すことで、挿通孔14が外部と貫通状態となるので、スライド体２をスライドガイド部１から取り外すことができ、即ち、本実施例のスライド体２はスライドガイド部１に着脱自在に設けた構成となっている。
【００５９】
このスライドガイド係合部２ｂの底面部２ｃは、側方にスライドさせることで容易に取り外すことができるので、スライド体２のスライドガイド部１に対する着脱も容易にできることとなる。
【００６０】
また、このスライド体２のスライドガイド係合部２ｂは、収納袋３の開口縁部を係止する袋係止部４を設けた構成としている。
【００６１】
この袋係止部４は、上述した帯板状のスライド体２の本体部２ａと被嵌する凹部８を設け、スライド体２の本体部２ａの上面に収納袋３の開口縁部を配した状態でこの袋係止部４を上方から被嵌してこの収納袋３の開口縁部を折れ曲がり状態で挟持係止するように構成している。
【００６２】
具体的には、この袋係止部４は、スライド体２のスライドガイド係合部２ｂに枢着し起伏回動自在に設けた構成とし、この袋係止部４の先端部に操作部15を突設し、この袋係止部４を起伏回動する際にこの先端部に設けた操作部15を指で挟持して、若しくは、指先を引っ掛けて操作する構成としている。
【００６３】
具体的には、この操作部15は、袋係止部４の先端部の上部に上方に向って突出し、更に先端側に湾曲させて湾曲部15ａを設けた形状に形成し、この湾曲部15ａに指を係止させて引っ掛け操作したり、操作部15を指で摘まんで摘まみ操作する構成としている。
【００６４】
また、この袋係止部４の長さは、スライド体２の半分より稍短い長さに設定して、スライド体２の両端部に夫々、外方に向って起伏回動自在に設けた構成としている。
【００６５】
また、この袋係止部４は、上述したように帯板状の本体部２ａに上方から被嵌し得る凹部８を設けた構成としているが、この凹部８の幅、及び厚みは、スライド体２の本体部２ａの幅、高さ寸法と略同等の寸法に設定し、本体部２ａに被嵌した際に、この本体部２ａの全体を略隙間なく被嵌するように構成している。
【００６６】
また、更に、スライド体２の本体部２ａに被嵌する袋係止部４の凹部８は、本体部２ａの上面と係合する底面部に、前述した本体部２ａの上面に設けたＶ字状の凹条溝部９と略合致嵌合する逆Ｖ字状の凸条部10を設けた構成とし、この袋係止部４の凹部８の底面部に設けた凸状部10と、前述したスライド体２の本体部２ａの上面に設けた凹条溝部９とが合致嵌合することでこの凹条溝部９と凸条部10との間に配した収納袋３の開口縁部をより強固に挟持係止する滑り落ち防止機構を成す構成としている。
【００６７】
この滑り落ち防止機構は、凹条溝部９と凸条部10との形状をＶ字形状にし、単に平面と平面との凹凸嵌合ではなく、点接触による凹凸嵌合としたことで、収納袋３の開口縁部を圧接状態で強固に挟持係止するので、単に平面と平面との凹凸嵌合による挟持係止よりも、より一層強固に挟持係止され、収納袋３の滑り落ちを可及的に低減することができる。
【００６８】
尚、本実施例では、袋係止部４の長さをスライド体２の長さの半分以下の長さに設定してスライド体２の両端部に夫々設けた構成としているが、袋係止部４の長さをスライド体２と略同等の長さに設定し、スライド体２の一端にのみ設ける構成としても良い。
【００６９】
このように構成した本実施例の作用効果を以下に説明する。尚、本実施例に付設する収納袋３は、開口縁部を上述したスライド体２と袋係止部４とで挟持係止し架設状態に付設し得る収納袋３であれば特に限定するものではないが、本実施例では、従来から良く利用されている、例えばスーパーマーケットやコンビニエンスストアなどで買い物をした際に品物を入れてもらうレジ袋を収納袋３として付設する場合での作用効果を説明する。
【００７０】
スーパーマーケットやコンビニエンスストアなどで買い物をした際に品物を入れてもらうレジ袋には大きさの種類が幾つかあり、購入した品物の大きさや量に応じて適切な大きさの収納袋３が選ばれる。従って、収納袋３は常に同じ大きさのものが付設するとは限らず、収納袋３の大きさによって開口部の開口幅を調整する必要がある。
【００７１】
本実施例に収納袋３を付設する際は、付設する収納袋３の大きさ、即ち、開口部の開口幅に合わせて、袋付設部６を構成する隣り合う二体のスライド体２の間隔を調整する。即ち、収納袋３の開口縁部がこのスライド体２間に架設状態に付設し得る間隔にスライド体２の位置をスライドさせて調整する。
【００７２】
そして、スライド体２に設けた袋係止部４を、このスライド体２に被嵌している状態から操作部15を指先で操作し上方に回動させて起立状態にし、スライド体２の本体部２ａの上面に収納袋３の開口縁部を配した状態で、袋係止部４を下方に回動させてスライド体２に被嵌させる。
【００７３】
これにより、収納袋３の開口縁部は、帯板状のスライド体２の本体部２ａと袋係止部４の凹部８とで折り曲がり状態に挟持係止され、更に、本体部２ａの凹条溝部９と袋係止部４の凹部８の凸条部10とで構成する滑り落ち防止機構によって、更に圧接状態で挟持係止された状態になる。
【００７４】
このようにして収納袋３の対向する開口縁部を夫々スライド体２に袋係止部４で係止しこの収納袋３をスライド体２間に架設状態で吊下げ支持されるように付設する。
【００７５】
また、収納袋３をスライド体２に付設した後で、必要に応じて、スライド体２をスライドさせて収納袋３の開口部の開口幅を所望の開口幅に調整しても良い。
【００７６】
上述したように、本実施例に収納袋３を付設する際には、従来のように収納袋３の持ち手部７を引っ掛け係止して吊下げ状態に支持するように付設するのではなく、スライド体２と袋係止部４とで収納袋３の開口縁部を挟持係止してスライド体２に吊下げ状態に支持するように付設し得る構成としている。
【００７７】
即ち、本実施例は、持ち手部６以外の対向する開口縁部、具体的には、従来、吊下げ状態にした際に邪魔になっていたひらひらした結び部16が設けられている開口縁部を挟持係止することで、収納袋３の開口部にはひらひらとして邪魔になる結び部が突出しないので、収納袋３の中に収納物が入れ易くなり、また、汚れたものを入れる場合にも、この結び部16に汚れが付着せず、収納袋３を清潔に保つことができ、衛生的な収納袋付設体とすることができる実用性に優れた収納袋付設体となる。
【００７８】
また、本実施例のスライド体２はスライドガイド部１にスライド自在に設けた構成としたので、上述したように収納袋３の開口部の開口幅を自在に調整できるので、例えば収納袋３内の収納物の収納量が少ないときは、開口部の開口幅を狭めに調整して他の収納袋３を並べて付設するスペースを設けることができ、収納袋３の中に収納物を入れてゆき、収納袋３内の収納物の収納量が多くなり収納袋３自体が大きくなってきたら、この収納袋３の大きさに適した開口幅に調整することは勿論のこと、例えば、収納袋３を多く付設せず不使用状態のスライド体２が生じた場合は、この不使用状態のスライド体２をスライドガイド部１の端に寄せることで邪魔にならず、また、このスライド体２をスライドガイド部１の端に寄せることで収納袋３を収納する基体部５に広いスペースを作ることができ、このスペースに収納袋３以外の収納体を設置する構成としても良い。
【００７９】
また、収納袋３に入れた収納物が、例えば嫌な臭いを生ずるものであった場合でも、スライド体２を互いに接近させる方向にスライドさせてスライド体２同士を当接状態にすることで収納袋３の開口部を閉口状態にすることができるので、収納袋３内の収納物から生ずる嫌な臭いを外部に漏れ難くすることができ、周囲に嫌な臭いが漂わず不快感を感じることも無い実用性に優れた画期的な収納袋付設体となる。
【００８０】
尚、本発明は、本実施例に限られるものではなく、各構成要件の具体的構成は適宜設計し得るものである。
【符号の説明】
【００８１】
１  スライドガイド部
２  スライド体
２ｂ スライドガイド係合部
３  収納袋
４  袋係止部
５  基体部
６  袋付設部
７  持ち手部
８  凹部
９  凹条溝部
10  凸条部
13 キャスター
14 挿通孔
【図１】
0005715375.tif 000002
【図２】
0005715375.tif 000003
【図３】
0005715375.tif 000004
【図４】
0005715375.tif 000005
【図５】
0005715375.tif 000006
【図６】
0005715375.tif 000007
【図７】
0005715375.tif 000008
【図８】
0005715375.tif 000009